(57)【要約】  本発明は、バッテリーパックが固定装置から離脱又は分離されることを効果的に防止できるだけでなく、バッテリーパックの設置場所にかかわらず設置が容易なバッテリーパック固定装置に関する。本発明によるバッテリーパック固定装置は、前記バッテリーパックの下部を支持するように形成され、前記バッテリーパック下部との締結のための締結構造が形成された支持プレートを備える支持台部；及び前記支持台部に搭載された前記バッテリーパックの後方に位置するように構成され、上方に立てられたプレート状で構成され、下部が前記支持台部の一側と結合され、後方に位置した壁との締結のための締結構造が形成された固定プレートを備える壁面固定部を含む。
2020515003.tif 000002
【特許請求の範囲】
【請求項１】
複数の二次電池を備えたバッテリーパックを固定するためのバッテリーパック固定装置であって、
前記バッテリーパックの下部を支持するように形成され、前記バッテリーパック下部との締結のための締結構造が形成された支持プレートを備える支持台部；及び
前記支持台部に搭載された前記バッテリーパックの後方に位置するように構成され、上方に立てられたプレート状で構成され、下部が前記支持台部と結合され、後方に位置した壁との締結のための締結構造が形成された固定プレートを備える壁面固定部；を含むことを特徴とするバッテリーパック固定装置。
【請求項２】
前記支持プレートには、前記バッテリーパックの下面と接触するように、上面の一部が上方に隆起した構造を有する隆起部が形成され、
前記隆起部には、前記バッテリーパックの下面とボルト締結されるように貫通口が形成されたことを特徴とする請求項１に記載のバッテリーパック固定装置。
【請求項３】
前記支持台部には、前記支持プレートの外周から下向に延びた下部側壁が備えられ、前記下部側壁の延びた方向の末端部は、地面に支持されるように形成されたことを特徴とする請求項１に記載のバッテリーパック固定装置。
【請求項４】
前記固定プレートは、後方に貫通した第１締結口及び第２締結口を備え、
前記第１締結口は、前記固定プレートの中央部分で上下方向に相互所定の間隔で離隔して複数個形成され、
前記第２締結口は、前記固定プレートの左右方向の両側部で上下方向に相互所定の間隔で離隔して複数個形成され、
前記第１締結口の直径は、前記第２締結口より小直径であることを特徴とする請求項３に記載のバッテリーパック固定装置。
【請求項５】
前記固定プレートには、前記バッテリーパックの後面と接触するように、前面の一部が前方に隆起した構造で構成された支持部が形成されたことを特徴とする請求項４に記載のバッテリーパック固定装置。
【請求項６】
前記支持部には、前記バッテリーパックの後面で発生した熱が外部に排出されるように形成された熱排出構造が備えられたことを特徴とする請求項５に記載のバッテリーパック固定装置。
【請求項７】
前記固定プレートの左右方向の両側端部には、前方に突出して延びた左側壁及び右側壁が形成され、前記左側壁及び前記右側壁の下端部は、前記支持台部の下部側壁と結合されたことを特徴とする請求項３に記載のバッテリーパック固定装置。
【請求項８】
前記バッテリーパック固定装置は、一端部が前記固定プレートの左側壁または右側壁に結合され、他端部が支持台部の下部側壁に結合されたブリッジバーをさらに含むことを特徴とする請求項７に記載のバッテリーパック固定装置。
【請求項９】
前記固定プレートの左側壁及び右側壁には、後方に湾曲した湾曲溝が形成されたことを特徴とする請求項８に記載のバッテリーパック固定装置。
【請求項１０】
前記バッテリーパック固定装置は、前記支持台部を地面に固定するように形成された底面固定部をさらに含み、
前記底面固定部は、前記支持台部の下部側壁と結合または分離可能に脱着構造が備えられた連結プレート；及び
前記連結プレートから垂直に折り曲げられて延びたプレート状であって、地面との結合のための締結溝が形成されたフランジ部を含むことを特徴とする請求項３に記載のバッテリーパック固定装置。
【請求項１１】
前記固定プレートの前面には、前記バッテリーパックが前記支持プレート上に搭載される位置をガイドし、前記バッテリーパックの左右方向の両側部に締結されるガイド固定部材がさらに備えられ、
前記ガイド固定部材は、後面が前記固定プレートの前面に脱着できるように締結構造が形成された締結部、及び前記締結部の前面から前方に突出して延びた柱構造が備えられた本体部を含み、
前記本体部には、前記バッテリーパックの一側面と結合されるように貫通孔が形成されたことを特徴とする請求項１に記載のバッテリーパック固定装置。
【請求項１２】
前記支持プレートには、前記バッテリーパックの下面に形成されたガス抜き構造と連通するように開口したガス排出口が形成されたことを特徴とする請求項１に記載のバッテリーパック固定装置。
【請求項１３】
請求項１〜請求項１２のうちいずれか一項に記載のバッテリーパック固定装置を含むことを特徴とするエネルギー貯蔵装置。
【請求項１４】
複数の二次電池を備えたバッテリーパックを固定するためのバッテリーパック固定装置であって、
前記バッテリーパックの下部を支持するように形成され、前記バッテリーパック下部との締結のための締結構造が形成された支持プレートを備える支持台部；及び
前記支持台部の上面から上下方向に直立して延びた第１支柱部及び第２支柱部が備えられ、前記第１支柱部と前記第２支柱部との間を連結して一面が壁面に固定されるように固定構造が形成された支柱連結部が備えられた壁面締結部；を含むことを特徴とするバッテリーパック固定装置。
【請求項１５】
前記バッテリーパック固定装置は、一側面が前記支持台部の左右側面と、前記第１支柱部及び前記第２支柱部の外側面とに結合されるように形成された側板を備えることを特徴とする請求項１４に記載のバッテリーパック固定装置。
【発明の詳細な説明】
【技術分野】
【０００１】
本発明は、複数の二次電池を備えたバッテリーパックを固定するためのバッテリーパック固定装置に関し、より詳しくは、バッテリーパック下部との締結のための締結構造が形成された支持プレートを備える支持台部、及び壁との締結のための締結構造が形成された固定プレートを備える壁面固定部を含むバッテリーパック固定装置に関する。
【０００２】
本出願は、２０１７年７月１９日出願の韓国特許出願第１０−２０１７−００９１３０８号に基づく優先権を主張し、該当出願の明細書及び図面に開示された内容は、すべて本出願に援用される。
【背景技術】
【０００３】
近年、二次電池メーカーから家庭用ＥＳＳ（Ｅｎｅｒｇｙ Ｓｔｏｒａｇｅ Ｓｙｓｔｅｍ）又は家庭用バッテリーパックが新製品として発売されている。これらＥＳＳ又はバッテリーパックは、リチウムイオンバッテリーに昼間の電力を貯蔵し、必要なときに使用できるため、電気料金を節約することができる。例えば、太陽光パネルや風力発電などを用いて作り出した電気をリチウムイオンバッテリーに貯蔵してから取り出して使用する形態である。
【０００４】
例えば、家庭用ＥＳＳ又はバッテリーパックは、大きさが略１２０×８０×２０ｃｍ、重量が１００ｋｇ程度であり、複数を連結して使用することもできる。もちろん、貯蔵容量に応じてバッテリーパックの大きさと重量は変わり得る。
【０００５】
このような家庭用ＥＳＳ又はバッテリーパックは、ユーザの便宜性及び空間活用性のため、屋内や屋外の壁や柱、または地面などに適切に設置固定可能な別途の固定装置を使用して設置される。
【０００６】
また、このような家庭用ＥＳＳ又はバッテリーパックは、地震や外部の衝撃によって設置固定されたバッテリーパックが落下するか、又は、地面に立設された状態で転倒するなどバッテリーパックが固定装置から離脱するか、それとも、バッテリーパックと固定装置との間に衝撃が発生して、バッテリーパックが損傷されることがあり得る。
【０００７】
したがって、このようなバッテリーパック固定装置は、地震が発生しても安定的にバッテリーパックを保護できる耐震性を有する必要があり、さらに、外部の衝撃にもバッテリーパックが固定装置から容易に離脱しないように、堅固に締結されねばならない。
【０００８】
図１は、従来のバッテリーパックが搭載されたバッテリーパック固定装置が壁に設置された様子を概略的に示した斜視図である。そして、図２は、従来のバッテリーパックが搭載されたバッテリーパック固定装置が地面に設置された様子を概略的に示した斜視図である。
【０００９】
まず図１を参照すれば、従来技術のバッテリーパック１を壁面２０に設置するための壁搭載方式で構成された壁面設置用固定装置１０が示されている。このような壁面設置用固定装置１０は、単に後面が壁面に締結され、上面がバッテリーパック１の下面を支持するように形成された固定部材を使用してバッテリーパック１を壁面２０に設置固定することができる。
【００１０】
また、図２を参照すれば、従来技術のバッテリーパック１を地面に設置するためのスタンド型で構成された地面設置用固定装置１２が示されている。このような地面設置用固定装置１２は、単に下面が地面に締結され、上面がバッテリーパックの下面を支持するように形成された固定部材を使用してバッテリーパック１を地面に固定設置することができる。
【００１１】
しかし、従来技術のバッテリーパックを設置するための固定装置は、バッテリーパックの使用目的や設置場所（壁や地面）によって固定装置の構造を変更しなければならないため、壁面と地面に設置可能な２種類の固定装置が必要である。そのため、バッテリーパック固定装置の製造コストが上昇し、需要が少ないタイプの固定装置は在庫になって生産品の無駄使いになる恐れがある。
【発明の概要】
【発明が解決しようとする課題】
【００１２】
本発明は、上記問題点に鑑みてなされたものであり、バッテリーパックが固定装置から離脱又は分離されることを効果的に防止できるだけでなく、バッテリーパックの設置場所にかかわらず設置が容易なバッテリーパック固定装置を提供することを目的とする。
【００１３】
本発明の他の目的及び長所は、下記する説明によって理解でき、本発明の実施例によってより明らかに分かるであろう。また、本発明の目的及び長所は、特許請求の範囲に示される手段及びその組合せによって実現することができる。
【課題を解決するための手段】
【００１４】
上記の課題を達成するため、本発明によるバッテリーパック固定装置は、複数の二次電池を備えたバッテリーパックを固定するためのバッテリーパック固定装置であって、前記バッテリーパックの下部を支持するように形成され、前記バッテリーパック下部との締結のための締結構造が形成された支持プレートを備える支持台部；及び前記支持台部に搭載された前記バッテリーパックの後方に位置するように構成され、上方に立てられたプレート状で構成され、下部が前記支持台部と結合され、後方に位置した壁との締結のための締結構造が形成された固定プレートを備える壁面固定部を含むことができる。
【００１５】
また、前記支持プレートには、前記バッテリーパックの下面と接触するように、上面の一部が上方に隆起した構造を有する隆起部が形成され得る。
【００１６】
さらに、前記隆起部には、前記バッテリーパックの下面とボルト締結されるように貫通口が形成され得る。
【００１７】
そして、前記支持台部には、前記支持プレートの外周から下向に延びた下部側壁が備えられ得る。
【００１８】
また、前記下部側壁の延びた方向の末端部は、地面に支持されるように形成され得る。
【００１９】
さらに、前記固定プレートには、後方に貫通した第１締結口及び第２締結口が備えられ得る。
【００２０】
そして、前記第１締結口は、前記固定プレートの中央部分で上下方向に相互所定の間隔で離隔して複数個形成され得る。
【００２１】
また、前記第２締結口は、前記固定プレートの左右方向の両側部で上下方向に相互所定の間隔で離隔して複数個形成され得る。
【００２２】
さらに、前記第１締結口の直径は、前記第２締結口より小直径であり得る。
【００２３】
そして、前記固定プレートには、前記バッテリーパックの後面と接触するように、前面の一部が前方に隆起した構造で構成された支持部が形成され得る。
【００２４】
また、前記支持部には、前記バッテリーパックの後面で発生した熱が外部に排出されるように形成された熱排出構造が備えられ得る。
【００２５】
さらに、前記固定プレートの左右方向の両側端部には、前方に突出して延びた左側壁及び右側壁が形成され得る。
【００２６】
そして、前記左側壁及び前記右側壁の下端部は、前記支持台部の下部側壁と結合され得る。
【００２７】
また、前記バッテリーパック固定装置は、一端部が前記固定プレートの左側壁または右側壁に結合され、他端部が支持台部の下部側壁に結合されたブリッジバーをさらに含むことができる。
【００２８】
さらに、前記固定プレートの左側壁及び右側壁には、後方に湾曲した湾曲溝が形成され得る。
【００２９】
そして、前記バッテリーパック固定装置は、前記支持台部を地面に固定するように形成された底面固定部をさらに含むことができる。
【００３０】
また、前記底面固定部は、前記支持台部の下部側壁と結合または分離可能に脱着構造が備えられた連結プレート；及び前記連結プレートから垂直に折り曲げられて延びたプレート状であって、地面との結合のための締結溝が形成されたフランジ部を含むことができる。
【００３１】
さらに、前記固定プレートの前面には、前記バッテリーパックが前記支持プレート上に搭載される位置をガイドし、前記バッテリーパックの左右方向の両側部に締結されるガイド固定部材がさらに備えられ得る。
【００３２】
そして、前記ガイド固定部材は、後面が前記固定プレートの前面に脱着できるように締結構造が形成された締結部；及び前記締結部の前面から前方に突出して延びた柱構造が備えられた本体部を含むことができる。
【００３３】
また、前記本体部には、前記バッテリーパックの一側面と結合されるように貫通孔が形成され得る。
【００３４】
さらに、前記支持プレートには、前記バッテリーパックの下面に形成されたガス抜き構造と連通するように開口したガス排出口が形成され得る。
【００３５】
そして、上記の課題を達成するため、本発明によるエネルギー貯蔵装置は、本発明によるバッテリーパック固定装置を含む。
【００３６】
一方、上記の課題を達成するため、本発明の他の実施例によるバッテリーパック固定装置は、複数の二次電池を備えたバッテリーパックを固定するためのバッテリーパック固定装置であって、前記バッテリーパックの下部を支持するように形成され、前記バッテリーパック下部との締結のための締結構造が形成された支持プレートを備える支持台部；及び前記支持台部の上面から上下方向に直立して延びた第１支柱部及び第２支柱部が備えられ、前記第１支柱部と前記第２支柱部との間を連結して一面が前記壁面に固定されるように固定構造が形成された支柱連結部が備えられた壁面締結部を含むことができる。
【００３７】
また、前記バッテリーパック固定装置には、一側面が前記支持台部の左右側面と、前記第１支柱部及び前記第２支柱部の外側面とに結合されるように形成された側板が備えられ得る。
【発明の効果】
【００３８】
本発明によれば、本発明のバッテリーパック固定装置は、バッテリーパック下部との締結のための締結構造が形成された支持プレートを備える支持台部を備えることで、バッテリーパックが固定装置から離脱又は分離されることを効果的に防止することができる。
【００３９】
したがって、本発明は、地震などの保管が困難な環境でも、バッテリーパックの保管安定性を大きく高めることができる。
【００４０】
特に、本発明は、支持台部に上部に隆起した隆起部を有することで、バッテリーパックの荷重を弾力的に支持することができ、振動や揺れによってバッテリーパックに伝達される衝撃を緩衝できるため、バッテリーパック固定装置の耐震性を効果的に向上させることができる。
【００４１】
また、本発明によれば、バッテリーパックの設置場所が壁面であるか地面であるかにかかわらず、選択的に壁面固定部及び底面固定部を使用して壁面及び／又は地面に固定できるため、２種類の固定装置を製造する必要がなく、バッテリーパック固定装置の製造コストを節減することができる。
【００４２】
また、本発明によれば、固定プレートが２種の第１締結口及び第２締結口を備えることで、バッテリーパックが設置される壁面の材質に応じて第１締結口または第２締結口を選択的にボルト締結できるため、設置される構成の材質にかかわらずバッテリーパック固定装置の設置を容易にし、適正な固定強度を確保することができる。
【００４３】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００４４】
【図１】従来のバッテリーパックが搭載されたバッテリーパック固定装置が壁に設置された様子を概略的に示した斜視図である。
【図２】従来のバッテリーパックが搭載されたバッテリーパック固定装置が地面に設置された様子を概略的に示した斜視図である。
【図３】本発明の一実施例によるバッテリーパックが搭載されたバッテリーパック固定装置を概略的に示した斜視図である。
【図４】本発明の一実施例によるバッテリーパック固定装置を概略的に示した斜視図である。
【図５】本発明の一実施例によるバッテリーパック固定装置を概略的に示した後面図である。
【図６】図４のバッテリーパック固定装置の構成を概略的に示した分離斜視図である。
【図７】本発明の他の実施例によるバッテリーパック固定装置を概略的に示した斜視図である。
【図８】本発明の他の実施例によるバッテリーパックが搭載されたバッテリーパック固定装置を概略的に示した斜視図である。
【図９】図８のバッテリーパック固定装置の一部構成を分離して概略的に示した分離斜視図である。
【図１０】本発明のさらに他の実施例によるバッテリーパックが搭載されたバッテリーパック固定装置を概略的に示した斜視図である。
【発明を実施するための形態】
【００４５】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００４６】
したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００４７】
図３は、本発明の一実施例によるバッテリーパックが搭載されたバッテリーパック固定装置を概略的に示した斜視図である。
【００４８】
図３を参照すれば、本発明のバッテリーパック固定装置２００は、バッテリーパック１００を特定場所に固定設置できるように構成される。
【００４９】
ここで、前記バッテリーパック１００は、複数の二次電池（図示せず）を備えることができる。具体的に、前記二次電池は、パウチ型二次電池であり得る。このようなパウチ型二次電池は、電極組立体、電解質及びパウチ外装材を備えることができる。
【００５０】
ここで、電極組立体は、１つ以上の正極板及び１つ以上の負極板がセパレータを介在して配置された形態で構成され得る。より具体的に、電極組立体は、１つの正極板と１つの負極板とがセパレータと一緒に巻き取られた巻取型、及び複数の正極板と複数の負極板とがセパレータを介在して積層された積層型などに分けられる。
【００５１】
また、パウチ外装材は、外部絶縁層、金属層及び内部接着層を備える形態で構成され得る。このようなパウチ外装材は、内部に電極組立体が収納され得る。したがって、前記パウチ外装材は、電極組立体と電解液などの内部構成要素を保護し、電極組立体と電解液による電気化学的性質に対する補完及び放熱性などを向上させるために金属薄膜、例えばアルミニウム薄膜が含まれた形態で構成され得る。
【００５２】
そして、このようなアルミニウム薄膜は、電極組立体及び電解液のような二次電池内部の構成要素と二次電池外部の他の構成要素との電気的絶縁性を確保するため、絶縁物質で形成された絶縁層の間に介在され得る。
【００５３】
特に、パウチ外装材は、２つのパウチで構成され得、そのうち少なくとも１つに凹んだ形態の内部空間が形成され得る。そして、このようなパウチの内部空間には電極組立体が収納され得る。そして、２つのパウチの外周面にはシーリング部が備えられ、このようなシーリング部が相互融着されることで、電極組立体が収容された内部空間が密閉される。
【００５４】
上述したパウチ型二次電池の構成については、本願発明が属する技術分野の当業者にとって自明な事項であるため、より詳細な説明は省略する。そして、本発明によるバッテリーパック１００には、本願発明の出願時点で公知された多様な二次電池を採用できる。
【００５５】
図４は本発明の一実施例によるバッテリーパック固定装置を概略的に示した斜視図であり、図５は本発明の一実施例によるバッテリーパック固定装置を概略的に示した後面図である。
【００５６】
図３〜図５を参照すれば、前記バッテリーパック固定装置２００は、支持台部２１０及び壁面固定部２２０を含む。
【００５７】
具体的に、前記支持台部２１０は、前記バッテリーパック１００の下部を支持するように形成された支持プレート２１１を備える。より具体的に、前記支持プレート２１１は、前記バッテリーパック１００の下部を支持できるように、前記バッテリーパック１００の下面と類似する形状であるか、または、前記バッテリーパック１００の下面より大きい面積を有する形状であり得る。
【００５８】
例えば、前記支持プレート２１１は、前記バッテリーパック１００の下面が長方形である場合、前記バッテリーパック１００の下面の面積より広い上面を有する長方形プレートを有し得る。
【００５９】
さらに、前記支持プレート２１１には、前記バッテリーパック１００の下面と接触するように、上面の一部が上方に隆起した構造を有する隆起部２１３が形成され得る。
【００６０】
具体的に、前記隆起部２１３の上面は、角部がラウンド処理された四角形であり得る。しかし、このような形状のみに限定されることはなく、前記隆起部２１３の上面は、前記バッテリーパック１００の下面の形態を考慮して多様な形態に形成され得る。
【００６１】
例えば、図４に示されたように、前記支持プレート２１１には、Ｆ方向から眺めたとき、上面の中央を基準に左側一部面の角部がラウンド処理された四角形状に隆起した１つの隆起部２１３が形成され得る。また、前記支持プレート２１１には、Ｆ方向から眺めたとき、上面の中央を基準に右側一部面の角部がラウンド処理された四角形状に隆起した他の１つの隆起部２１３がさらに形成され得る。
【００６２】
ここで、本明細書における前、後、左、右、上、下のような方向を示す用語は、観測者の位置や対象が置かれた形態によって変わり得る。ただし、本明細書では、説明の便宜上、Ｆ方向から眺めるときを基準にして、前、後、左、右、上、下などの方向を区分して示すことにする。
【００６３】
本発明のこのような構成によれば、前記隆起部２１３の隆起した構造は、前記バッテリーパック１００の荷重を弾力的に支持できる構造であって、外部振動や揺れによる衝撃を緩和できるため、前記バッテリーパック固定装置２００の耐震性を高めることができる。
【００６４】
さらに、前記１つの隆起部２１３と他の１つの隆起部２１３とは、互いに一定距離離隔して形成され得る。すなわち、前記支持プレート２１１は、前記２つの隆起部２１３同士を離隔させることで、その間の空いている空間に空気が流れて冷却効果を高めるだけでなく、前記バッテリーパック１００の荷重を安定的に２つの隆起部２１３に両分する構造を有し得る。
【００６５】
さらに、前記支持プレート２１１には、前記バッテリーパック１００下部との締結のための締結構造が形成され得る。
【００６６】
具体的に、前記支持プレート２１１の隆起部２１３には、前記バッテリーパック１００の下面とボルト締結されるように貫通口２１４が形成され得る。より具体的に、前記バッテリーパック１００の下部にねじが挿入されるねじ穴（図示せず）が形成される場合、前記貫通口２１４は、前記隆起部２１３の上面でバッテリーパック１００のねじ穴と対応する位置に形成され得る。
【００６７】
例えば、図４に示されたように、前記支持プレート２１１の上面には、バッテリーパック１００の下面と対面する上方に角部がラウンド処理された四角形に隆起した２つの隆起部２１３が形成され得る。それぞれの隆起部２１３には、４つの貫通口２１４が形成され得る。
【００６８】
本発明のこのような構成によれば、前記バッテリーパック１００の下面が前記支持プレート２１１の隆起部２１３の上面に締結されて堅固に固定させることができ、地震や外部の衝撃によるバッテリーパック１００の落下などを効果的に防止することができる。
【００６９】
一方、前記壁面固定部２２０は、前記バッテリーパック１００が支持台部２１０に搭載された状態で前記バッテリーパック固定装置２００を壁面２０に固定するように構成される。
【００７０】
具体的に、前記壁面固定部２２０は、Ｆ方向から眺めたとき、前記支持台部２１０に搭載された前記バッテリーパック１００の後方に位置するように構成された固定プレート２２１を備える。
【００７１】
具体的に、前記固定プレート２２１は、上方に立てられた（直立した）プレート状で構成され得る。より具体的に、前記固定プレート２２１は、前記バッテリーパック１００の後面の形状と類似するか又はより大きいの一面を有し得る。
【００７２】
例えば、図３に示されたように、前記固定プレート２２１は、前記バッテリーパック１００の後面が全体的に長方形である場合、前記バッテリーパック１００の後面より大きい面積の長方形のプレート構造になり得る。
【００７３】
すなわち、前記固定プレート２２１は、前記バッテリーパック１００の後面を外部の衝撃から保護し、前記固定プレート２２１の前面にバッテリーパック１００の後面を安定的に収容できるように、バッテリーパック１００の後面より大きく形成され得る。
【００７４】
さらに、前記固定プレート２２１には、前記バッテリーパック１００の後面と接触するように、前面の一部が前方に隆起した構造の支持部２２３が形成され得る。
【００７５】
具体的に、前記支持部２２３は、隆起した前面の角部がラウンド処理された四角形の外周を有する形状であり得る。しかし、このような形状のみに限定されることはなく、前記支持部２２３の隆起した前面は、前記バッテリーパック１００の後面の形態を考慮して多様な形態に形成され得る。
【００７６】
例えば、図４に示されたように、前記固定プレート２２１には、隆起した前面の角部がラウンド処理された四角形の外周を有する支持部２２３が形成され得、前記支持部２２３は、バッテリーパック１００の後面と対面するように、前記固定プレート２２１の上部から下部まで上下方向に延びて形成され得る。
【００７７】
本発明のこのような構成によれば、前記固定プレート２２１に、地震や外部の衝撃によって生じたバッテリーパック１００の動きによる衝撃を効果的に吸収できるように支持部２２３が形成されることで、バッテリーパック１００の保管安定性を高めることができる。
【００７８】
さらに、前記支持部２２３は、前記固定プレート２２１の前面の一部が隆起していない部分２２８を含むことができる。例えば、図４に示されたように、前記支持部２２３には、上部、中部及び下部に３つの隆起していない部分２２８が形成され得る。
【００７９】
そして、前記支持部２２３の隆起していない部分２２８には、ボルト締結のための締結口２２２が形成され得る。
【００８０】
本発明のこのような構成によれば、前記固定プレート２２１は、前記支持部２２３の隆起していない部分２２８に締結口２２２を形成することで、バッテリーパック固定装置２００を壁面２０に固定させるための締結構造領域を十分確保することができ、バッテリーパック１００を安定的に壁面２０に固定することができる。
【００８１】
図６は、図４のバッテリーパック固定装置の構成を概略的に示した分離斜視図である。
【００８２】
図６を参照すれば、前記支持台部２１０には、前記支持プレート２１１の外周から下向に延びた下部側壁２１５が備えられ得る。
【００８３】
具体的に、前記支持プレート２１１の外周の形状が四角形である場合、前方、後方、左側及び右側に下向に延びた下部側壁２１５が備えられ得る。
【００８４】
また、前記下部側壁２１５は、前記支持台部２１０の内部に一定大きさの空いている空間が形成されるように下方に延設され得る。例えば、前記支持台部２１０は、前記支持プレート２１１の外周の形状が長方形である場合、前記下部側壁２１５が前方、後方、左側及び右側に下向に延びて六面体の内部空間が形成され得る。
【００８５】
さらに、前記下部側壁２１５の延びた方向の末端部２１９は、地面に支持されるように形成され得る。
【００８６】
さらに、前記固定プレート２２１は、一部が前記支持台部２１０と結合された構造を有し得る。
【００８７】
具体的に、前記固定プレート２２１は、前記支持台部２１０の下部側壁２１５まで延びるように形成され得る。また、前記固定プレート２２１は、下部が前記支持台部２１０の左右方向の両側部と結合された構造を有し得る。
【００８８】
より具体的に、前記固定プレート２２１は、左右方向の両側端部に前方に突出して延びた左側壁２２５及び右側壁２２６が形成され得る。さらに、前記左側壁２２５及び前記右側壁２２６の下端部は、前記支持台部２１０の下部側壁２１５と結合された構造であり得る。
【００８９】
そして、前記固定プレート２２１の左側壁２２５及び右側壁２２６の下部は、上部と比べたとき、前記支持台部２１０の下部側壁２１５と対面できるように前方にさらに長く突出して形成され得る。
【００９０】
また、前記固定プレート２２１の左側壁２２５及び右側壁２２６は、前記支持台部２１０の下部側壁２１５とボルト締結によって結合され得る。さらに、前記固定プレート２２１の左側壁２２５及び右側壁２２６には、前記支持台部２１０の下部側壁２１５に形成された結合口２１６と対応する位置に形成された締結孔２２７が形成され得る。
【００９１】
すなわち、前記固定プレート２２１の左側壁２２５及び右側壁２２６の下部は、締結ボルトを前記締結孔２２７及び前記下部側壁２１５の結合口２１６に貫通挿入して、前記左側壁２２５または右側壁２２６と下部側壁２１５とを結合することができる。
【００９２】
例えば、図６に示されたように、前記支持台部２１０の右側に形成された下部側壁２１５には、前記固定プレート２２１の右側壁２２６との結合のため、３つの結合口２１６が形成され得る。また、図４に示されたように、前記固定プレート２２１の右側壁２２６は、締結孔２２７と前記支持台部２１０の右側の下部側壁２１５の結合口２１６とに締結ボルト（図示せず）が挿入されて締結され得る。
【００９３】
同様に、前記支持台部２１０の左側に形成された下部側壁２１５には、前記固定プレート２２１の左側壁２２５との結合のため、３つの結合口（図示せず）が形成され得る。また、前記固定プレート２２１の左側壁２２５は、締結孔２２７と前記支持台部２１０の左側の下部側壁２１５の結合口とに締結ボルトが挿入されて締結され得る。
【００９４】
一方、前記固定プレート２２１は、後方に位置した壁と締結されるための締結口２２２、２２３が形成され得る。
【００９５】
具体的に、前記固定プレート２２１は、後方に貫通した２種の第１締結口２２２及び第２締結口２２３を備えることができる。より具体的に、前記第１締結口２２２は、前記固定プレート２２１の中央部分で上下方向に相互所定の間隔で離隔して複数個形成され得る。
【００９６】
例えば、図５に示されたように、前記固定プレート２２１の中央部分には上下方向に相互所定の間隔で離隔した６つの第１締結口２２２が形成され得る。
【００９７】
また、前記第２締結口２２３は、前記固定プレート２２１の左右方向の両側部に上下方向に相互所定の間隔で離隔して複数個形成され得る。
【００９８】
例えば、図５に示されたように、前記固定プレート２２１の左側部に上下方向に相互所定の間隔で離隔した６つの第２締結口２２３が形成され、前記固定プレート２２１の右側部にも上下方向に相互所定の間隔で離隔した６つの第２締結口２２３が形成され得る。
【００９９】
そして、前記第１締結口２２２の直径は、前記第２締結口２２３のより小直径であり得る。
【０１００】
具体的に、前記第１締結口２２２は、前記バッテリーパック固定装置２００を木材のような硬質材料でなる壁に固定するためにボルト締結できるように、木材より機械的強度の大きい素材でなる壁にボルト締結するための前記第２締結口２２３より小直径を有し得る。
【０１０１】
また、前記第２締結口２２３は、前記バッテリーパック固定装置２００をコンクリートのような硬質材料でなる壁に固定するためにボルト締結できるように、木材のように機械的強度の小さい素材でなる壁にボルト締結するための前記第１締結口２２２より大直径を有し得る。
【０１０２】
本発明のこのような構成によれば、前記固定プレート２２１が２種の第１締結口２２２及び第２締結口２２３を備えることで、前記バッテリーパック１００が設置される壁面２０の材質に応じて第１締結口２２２または第２締結口２２３を選択的にボルト締結できるため、バッテリーパック固定装置２００の設置を容易にし、適正な固定強度を確保することができる。
【０１０３】
図４及び図６を再び参照すれば、前記バッテリーパック固定装置２００は、前記支持台部２１０がバッテリーパック１００の荷重によって下方に反る（垂れる）ことを防止するように構成されたブリッジバー２３０をさらに含むことができる。
【０１０４】
具体的に、前記ブリッジバー２３０は、両端部が前記固定プレート２２１と支持台部２１０の下部側壁２１５とに結合された構造であり得る。より具体的に、前記ブリッジバー２３０は、一端部が前記固定プレート２２１の左側壁２２５または右側壁２２６に結合され、他端部が支持台部２１０の下部側壁２１５に結合され得る。
【０１０５】
すなわち、前記ブリッジバー２３０は、前記支持台部２１０に伝達されるバッテリーパック１００の荷重を設置壁面２０に固定された固定プレート２２１が耐えるように、前記固定プレート２２１と支持台部２１０とを結合連結した構造を有し得る。
【０１０６】
例えば、図４に示されたように、１つのブリッジバー２３０は、一端部が前記固定プレート２２１の左側壁２２５に結合され、他端部が支持台部２１０の左側に形成された下部側壁２１５と結合され得る。また、他の１つのブリッジバー２３０は、一端部が前記固定プレート２２１の右側壁２２６に結合され、他端部が支持台部２１０の右側に形成された下部側壁２１５と結合され得る。
【０１０７】
本発明のこのような構成によれば、前記バッテリーパック固定装置２００は、長期間バッテリーパック１００を壁に固定しても、バッテリーパック１００の荷重によってバッテリーパック固定装置２００が変形することを防止できるため、バッテリーパック固定装置２００の耐久性を効果的に向上させることができる。
【０１０８】
そして、前記固定プレート２２１には、前記ブリッジバー２３０が伝達したバッテリーパック１００の荷重を分散させるための湾曲溝２２７ｈが形成され得る。
【０１０９】
具体的に、前記固定プレート２２１の左側壁２２５及び右側壁２２６には、後方に湾曲した湾曲溝２２７ｈが形成され得る。より具体的に、前記湾曲溝２２７ｈは、前記左側壁２２５及び前記右側壁２２６において前記ブリッジバー２３０が伝達したバッテリーパック１００の荷重が集中されやすい部分に形成され得る。
【０１１０】
例えば、前記湾曲溝２２７ｈは、前記固定プレート２２１の左側壁２２５及び右側壁２２６が下部側壁２１５と連結される部分に隣接して形成され得る。図４に示されたように、前記固定プレート２２１の左側壁２２５が下部側壁２１５と連結される下部に、後方に湾曲した湾曲溝２２７ｈが形成され得る。また、前記固定プレート２２１の右側壁２２６が下部側壁２１５と連結される下部に、後方に湾曲した湾曲溝２２７ｈが形成され得る。
【０１１１】
図７は、本発明の他の実施例によるバッテリーパック固定装置を概略的に示した斜視図である。
【０１１２】
図３及び図７を参照すれば、本発明の他の実施例によるバッテリーパック固定装置２０１は、上述した一実施例のバッテリーパック固定装置２００と比べて、前記固定プレート２２１の支持部２２３に前記バッテリーパック１００の後面で発生した熱が外部に排出されるように形成された熱排出構造がさらに備えられ得る。
【０１１３】
具体的に、前記熱排出構造は、前記支持部２２３の隆起していない部分２２８が前記支持部２２３の中心から外周まで延びた形態に形成され得る。より具体的に、前記熱排出構造は、隆起していない部分２２８が支持部２２３の中心から一側または両側の外周まで延びて開放された構造Ｈで形成され得る。
【０１１４】
例えば、図７に示されたように、前記熱排出構造は、前記支持部２２３の上部、中部及び下部に３つの隆起していない部分２２８が形成されている場合、前記隆起していない部分２２８が支持部２２３の上部、中部及び下部それぞれの中心から左右両側の外周まで延びて、開放された構造Ｈを形成し得る。
【０１１５】
本発明のこのような構成によれば、前記バッテリーパック１００の後面と離隔した空いている空間に蓄積される熱を外部に移動できるように、外部空気が出入り可能な開放された熱排出構造が形成されることで、前記バッテリーパック１００で発生した熱を効果的に外部に放出させることができる。
【０１１６】
図８は本発明の他の実施例によるバッテリーパックが搭載されたバッテリーパック固定装置を概略的に示した斜視図であり、図９は図８のバッテリーパック固定装置の一部構成を分離して概略的に示した分離斜視図である。
【０１１７】
図８及び図９を参照すれば、前記バッテリーパック固定装置２０２は、前記支持台部２１０を地面３０に固定するように形成された底面固定部２４０をさらに含むことができる。
【０１１８】
具体的に、前記底面固定部２４０は、前記支持台部２１０の下部側壁２１５のうち少なくとも１つと結合または分離可能に脱着構造が備えられた連結プレート２４２を備えることができる。
【０１１９】
より具体的に、前記連結プレート２４２は、前記下部側壁２１５の外面と面接触するようにプレート状で構成され得る。また、前記脱着構造は、前記連結プレート２４２が前記支持台部２１０の下部側壁２１５と結合及び分離可能に形成されたボルト締結構造であり得る。
【０１２０】
すなわち、前記脱着構造は、前記底面固定部２４０を前記支持台部２１０に結合する場合、前記連結プレート２４２に形成された脱着孔２４３と前記支持台部２１０の下部側壁２１５の結合口２１６とに締結ボルト２６０が貫通挿入されるように構成され得る。
【０１２１】
また、前記脱着構造は、前記底面固定部２４０を前記支持台部２１０から取り外す場合、前記連結プレート２４２に形成された脱着孔２４３と前記支持台部２１０の下部側壁２１５の結合口２１６とに挿入締結された締結ボルト２６０を外して解除するように構成され得る。
【０１２２】
本発明のこのような構成によれば、本発明のバッテリーパック固定装置２０２は、設置場所が地面３０（底面）を含む場合、選択的に前記底面固定部２４０を使用して地面３０に固定させることができる。これによって、前記バッテリーパック固定装置２０２を壁面と地面３０の両方に堅固に固定でき、地震や外部の衝撃によって前記バッテリーパック１００が固定装置から離脱又は分離されることを効果的に防止することができる。
【０１２３】
さらに、前記底面固定部２４０は、前記連結プレート２４２から垂直に折り曲げられて延びたプレート状のフランジ部２４４を含むことができる。
【０１２４】
具体的に、前記支持台部２１０の下部側壁２１５が、地面３０と垂直に形成される場合、前記連結プレート２４２は、前記下部側壁２１５の外面と面接触するように地面３０と垂直に形成され得る。したがって、前記フランジ部２４４は、地面３０と面接触するように前記連結プレート２４２と垂直に折り曲げられて形成され得る。
【０１２５】
そして、前記フランジ部２４４には、地面３０と結合するための締結溝２４６が形成され得る。
【０１２６】
具体的に、前記締結溝２４６は、フランジ部２４４の外周から内側に湾入した溝であり得る。例えば、前記締結溝２４６の形状は、半円、半楕円形、三角形、四角形など多様な形態であり得る。図８に示されたように、前記締結溝２４６は半楕円形に湾入して形成され得る。
【０１２７】
また、前記締結溝２４６には、前記フランジ部２４４を地面３０と結合する締結ボルト（図示せず）が挿入され得る。このとき、地面３０には、前記締結溝２４６と対応する位置に固定孔（図示せず）が形成され得る。
【０１２８】
本発明のこのような構成によれば、前記フランジ部２４４の締結溝２４６を通じて前記バッテリーパック固定装置２０２を安定的に地面３０に固定することができる。
【０１２９】
そして、前記底面固定部２４０には、前記連結プレート２４２と前記フランジ部２４４とが成している折曲部分の一部が外側に突出して形成された凸部２４８が備えられ得る。このような凸部２４８は、前記連結プレート２４２の外面と前記フランジ部２４４の上面とを支持する構造で形成され得る。
【０１３０】
さらに、前記凸部２４８は、前記底面固定部２４０の一面の一部が外側に突出して形成され得る。
【０１３１】
本発明のこのような構成によれば、別途の支持部材を使用せず、底面固定部２４０の一部に凸部２４８を形成することで、前記連結プレート２４２とフランジ部２４４とが成す折曲構造に集中される応力を分散させることができ、前記折曲構造の変形を阻止できるため、製造コストを節減し、前記底面固定部２４０が外力によって変形されることを効果的に防止することができる。
【０１３２】
図８を再び参照すれば、前記固定プレート２２１の前面には、前記バッテリーパック１００が前記支持プレート２１１上に搭載される位置をガイドするためのガイド固定部材２５０を付け加えることができる。
【０１３３】
具体的に、前記ガイド固定部材２５０は、前記バッテリーパック１００が前記支持プレート２１１上に搭載される左右方向の位置をガイドするように形成され得る。これによって、前記ガイド固定部材２５０は、前記固定プレート２２１の前面のうち左右両側部にそれぞれ形成され得る。
【０１３４】
例えば、図８に示されたように、２つのガイド固定部材２５０は、前記固定プレート２２１前面の左側上端及び右側上端の角部付近にそれぞれ形成され得る。
【０１３５】
さらに、前記ガイド固定部材２５０は、一端部が前記固定プレート２２１の前面にボルト締結され得る。また、前記ガイド固定部材２５０は、他端部が前記バッテリーパック１００の左右の側部に締結されて固定され得る。
【０１３６】
具体的に、前記ガイド固定部材２５０は、締結部２５２及び本体部２５４を含むことができる。
【０１３７】
ここで、前記締結部２５２の後面には、前記固定プレート２２１の前面に脱着可能に締結構造が形成され得る。より具体的に、前記締結部２５２は、前記固定プレート２２１の前面と平行に形成され、締結構造が形成されたプレート状で構成され得る。さらに、前記締結部２５２にはボルト締結のための開口２５５が形成され得る。
【０１３８】
すなわち、前記ガイド固定部材２５０を前記固定プレート２２１の前面に取り付ける場合、前記締結部２５２は、開口２５５を通じて前記固定プレート２２１の前面にボルト締結され得る。逆に、前記ガイド固定部材２５０を前記固定プレート２２１の前面から取り外す場合、前記締結部２５２の開口２５５に締結されたボルトを外して除去し、前記ガイド固定部材２５０を前記固定プレート２２１から分離し得る。
【０１３９】
そして、前記本体部２５４には、前記締結部２５２の前面から前方に突出して延びた柱構造が備えられ得る。また、前記本体部２５４の柱構造には、前記バッテリーパック１００の一側面と結合されるように貫通孔２５６が形成され得る。
【０１４０】
例えば、図８に示されたように、２つのガイド固定部材２５０が前記固定プレート２２１の前面に設けられ得る。前記２つのガイド固定部材２５０は、前記固定プレート２２１の前面に締結固定された締結部２５２、及び前記バッテリーパック１００の左右方向の一側部または他側部に貫通孔２５６を通じてボルト締結された本体部２５４を含むことができる。
【０１４１】
さらに、図９を再び参照すれば、前記固定プレート２２１の前面には、前記ガイド固定部材２５０が締結固定されるように前方が隆起した隆起構造２２９、及びボルト締結のための挿入孔Ｄが形成され得る。
【０１４２】
例えば、図９に示されたように、前記固定プレート２２１の前面の両側部には、前記ガイド固定部材２５０を締結するための２つの隆起構造２２９が形成され得る。また、前記隆起構造２２９の隆起した前面にはボルト締結のための２つの挿入孔Ｄが形成され得る。
【０１４３】
一方、図４を再び参照すれば、前記支持プレート２１１には、前記バッテリーパック１００の内部で発生したガスを排出するように形成されたガス排出口２１８が形成され得る。
【０１４４】
このとき、前記バッテリーパック１００は、充放電過程で発生したガスによりバッテリーパック１００の内圧が増加してガスを外部に排出する必要が生じたとき、開口して外部にガスを排出するガス抜き構造（図示せず）を有し得る。
【０１４５】
また、前記ガス抜き構造は、前記支持プレート２１１と対面しているバッテリーパック１００の下面に形成され得る。これによって、前記支持プレート２１１には、前記バッテリーパック１００の下面に形成されたガス抜き構造と連通するように開口した前記ガス排出口２１８が形成され得る。
【０１４６】
さらに、前記支持プレート２１１は、前記ガス排出口２１８から延びて、前記支持プレート２１１の上面から下部に湾入したガス誘導部２１７を含むことができる。具体的に、前記ガス誘導部２１７は、前記バッテリーパック１００のガス抜き構造から排出されたガスの移動方向を意図する方向に誘導するように形成され得る。
【０１４７】
例えば、図４に示されたように、前記ガス誘導部２１７は、バッテリーパック１００から下方に排出されたガスが前記支持台部２１０下部の内部空間の中央に移動できるように、前記支持プレート２１１の上面から下方に湾入して一側がガス排出口２１８と連結された凹んだ構造を有し得る。
【０１４８】
さらに、前記支持台部２１０の下部側壁２１５には、前記下部側壁２１５の末端部２１９から上方に湾入した湾入部２１２が形成され得る。前記湾入部２１２は、前記支持台部２１０の内部空間に溜まるガスを外部に排出できるように形成され得る。
【０１４９】
例えば、図４に示されたように、前記支持台部２１０の前面に形成された下部側壁２１５の中央には末端部２１９から上方に湾入した湾入部２１２が形成され得る。
【０１５０】
本発明のこのような構成によれば、本発明のバッテリーパック固定装置２００は、バッテリーパック１００から排出された有毒ガスを意図する場所にスムーズに移動排出できるため、バッテリーパック１００の使用中に生じ得る爆発などを効果的に防止し、有毒ガスの流出に対する安全性を確保している。
【０１５１】
図１０は、本発明のさらに他の実施例によるバッテリーパックが搭載されたバッテリーパック固定装置を概略的に示した斜視図である。
【０１５２】
図３及び図１０を参照すれば、本発明の他の実施例によるバッテリーパック固定装置２００Ｂは、複数の二次電池を備えたバッテリーパックを固定するためのものであって、支持台部２１０及び壁面締結部２６０を含むことができる。
【０１５３】
具体的に、図１０の支持台部２１０は、前記バッテリーパック１００の下部を支持するように形成され、前記バッテリーパック１００下部との締結のための締結構造が形成された支持プレート２１１を備えることができる。
【０１５４】
前記支持台部２１０は、上述した本発明の一実施例によるバッテリーパック固定装置（図４の２００）の支持台部（図４の２１０）の構成と同じ構成を有し得るため、図１０の支持台部の構成について詳しい説明は省略する。
【０１５５】
また、前記壁面締結部２６０は、第１支柱部２６１及び第２支柱部２６２を備えることができる。
【０１５６】
具体的に、前記第１支柱部２６１及び前記第２支柱部２６２は、前記支持台部２１０の支持プレート２１１の上面から上下方向に直立して延びた柱形状で構成され得る。また、前記柱形状は、例えば、中空構造の角管または円形管形状であり得る。または、前記柱形状は、直立して延びたプレート状であり得る。
【０１５７】
さらに、前記壁面締結部２６０は、前記第１支柱部２６１と前記第２支柱部２６２との間を連結する支柱連結部２６４を備えることができる。
【０１５８】
具体的に、前記支柱連結部２６４は、一端が前記第１支柱部２６１と結合され、他端が前記第２支柱部２６２と結合されるプレートで構成され得る。
【０１５９】
また、前記支柱連結部２６４には、後方の一面が前記壁面に固定されるように固定構造が形成され得る。具体的に、前記固定構造は、ボルト締結のためのボルト挿入口２６４ｈであり得る。
【０１６０】
そして、前記バッテリーパック固定装置２００Ｂは、前記支持台部２１０の左右側面と前記第１支柱部２６１及び前記第２支柱部２６２の外側面とに結合されるように形成された少なくとも１つの側板２７０を備えることができる。
【０１６１】
例えば、図１０のように、前記側板２７０は、Ｆ方向から眺めたとき、前記支持台部２１０の左側面と前記第１支柱部２６１の外側面（左側面）とに結合され、他の側板２７０は、前記支持台部２１０の右側面と前記第２支柱部２６２の外側面（右側面）とに結合され得る。
【０１６２】
したがって、本発明のこのような構成によれば、前記側板が支持台部２１０と壁面締結部２６０とを堅固に連結固定して、固定装置の耐久性を効果的に向上させることができる。
【０１６３】
また、本発明によるエネルギー貯蔵装置は、本発明によるパック固定装置を含むことができる。
【０１６４】
さらに、前記エネルギー貯蔵装置は、前記電力生産部で生産した電力を貯蔵してから電力網に供給するシステムであり得る。また、前記電力網は商用電力網であっても良く、小規模地域の自体電力網であっても良い。さらに、場合によって、スマートグリッドで電力を貯蔵する電力貯蔵装置になり、生産した電力を直ちに消費する負荷または電力変換装置にもなり得る。
【０１６５】
一方、本明細書において、上、下、左、右、前、後のように方向を表す用語が使われたが、このような用語は説明の便宜上使用されたものであって、対象になる物の位置や観測者の位置などによって変わり得ることは本発明の当業者にとって自明である。
【０１６６】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【産業上の利用可能性】
【０１６７】
本発明はバッテリーパック固定装置に関する。また、このようなバッテリーパックを固定するように構成されたバッテリーパック固定装置、及び前記バッテリーパックを備えたエネルギー貯蔵システムに関連する産業に利用可能である。
【符号の説明】
【０１６８】
１００：バッテリーパック
２００：バッテリーパック固定装置
２１０：支持台部
２２０：壁面固定部
２１１：支持プレート
２２１：固定プレート
２１３：隆起部
２２３：支持部
２１５：下部側壁
２２５、２２６：左側壁、右側壁
２３０：ブリッジバー
２４０：底面固定部
２５０：ガイド固定部材
２４２：連結プレート
２５２：締結部
２４４：フランジ部
２５４：本体部
２１８：ガス排出口
【図１】
2020515003.tif 000003
【図２】
2020515003.tif 000004
【図３】
2020515003.tif 000005
【図４】
2020515003.tif 000006
【図５】
2020515003.tif 000007
【図６】
2020515003.tif 000008
【図７】
2020515003.tif 000009
【図８】
2020515003.tif 000010
【図９】
2020515003.tif 000011
【図１０】
2020515003.tif 000012
【国際調査報告】
2020515003.tif 000013
2020515003.tif 000014
2020515003.tif 000015
2020515003.tif 000016